(57)【要約】【課題】コンタクトレンズケースを洗浄液ボトルの首部へ取り付けることなく自立した状態で保持し、複数の使用者が共用する洗浄液ボトルの使い勝手性を向上できるとともに、洗浄液ボトルを洗面所の棚などに容易に格納できるコンタクトレンズケース保持具を提供する。【解決手段】コンタクトレンズケース２に、その表面２０１側から各コンタクトレンズをそれぞれ個別に収容する収容部２１Ｌ，２１Ｒを設けるとともに、収容部２１Ｌ，２１Ｒの開放端を水密状態に封止する左右一対の蓋体２２をそれぞれ個別に下向きに挟んで支持する支持片２３１をベース板２０の裏面２０２の左右両側端に設ける。略水平な載置面に載置されて自立するスタンド本体１１を備え、スタンド本体１１にコンタクトレンズケース２の表面２０１側を下向けた状態でその左右の収容部２１Ｌ，２１Ｒ同士の間に当該コンタクトレンズケース２を差し込んで保持する差し込み部１５を設けている。【選択図】図１
2017086522.tif 000002
【特許請求の範囲】
【請求項１】
左右のコンタクトレンズを収容するコンタクトレンズケースには、その表面側から前記各コンタクトレンズをそれぞれ個別に収容する左右一対の有底筒状の収容部が設けられているとともに、前記各収容部の開放端をそれぞれ水密状態に封止する左右一対の逆有底筒状の蓋体を封止解除時にそれぞれ個別に下向きに支持する支持部が設けられており、
略水平な載置面に載置されて自立するスタンド本体を備え、このスタンド本体には、前記コンタクトレンズの非収容時に前記コンタクトレンズケースの表面側を下向けた状態でその左右の収容部同士の間に差し込まれて当該コンタクトレンズケースを保持する差し込み部が設けられていることを特徴とするコンタクトレンズケース保持具。
【請求項２】
前記各支持部としては、前記コンタクトレンズケースの裏面側の左右両側端に設けられ、かつ前記コンタクトレンズケースに対しそれぞれ脱着自在に構成された前記各蓋体を挟んで支持する支持片が適用されており、
前記各蓋体は、前記各収容部に対する封止解除時に前記各支持片に対しそれぞれ挟まれて支持されている請求項１に記載のコンタクトレンズケース保持具。
【請求項３】
前記各支持部としては、前記コンタクトレンズケースに対し前記各蓋体をそれぞれ封止位置と封止解除位置とに変換可能に支持するヒンジが適用されており、
前記各蓋体は、前記各収容部に対する封止解除時に前記ヒンジによってそれぞれ封止解除位置に変換されて支持されている請求項１に記載のコンタクトレンズケース保持具。
【発明の詳細な説明】
【技術分野】
【０００１】
本発明は、左右のコンタクトレンズを収容するコンタクトレンズケースを各コンタクトレンズの非収容時に保持するコンタクトレンズケース保持具に関する。
【背景技術】
【０００２】
従来、この種のコンタクトレンズケース保持具としては、左右のコンタクトレンズを収容するコンタクトレンズケースを、そのコンタクトレンズの非収容時に表面側を下向けた状態で差し込んで保持する差し込み部を有するものが知られている（特許文献１参照）。また、コンタクトレンズケースは、その表面側から各コンタクトレンズをそれぞれ個別に収容する左右一対の有底筒状の収容部と、ケース本体の表面側から各収容部の開放端をそれぞれ水密状態に封止する脱着自在な左右の蓋体とを備えている。
【０００３】
そして、コンタクトレンズケース保持具は、洗浄液ボトルの首部に弾性を利用して嵌め込む掛脱輪部、及び取り外した各蓋体をそれぞれ個別に下向きに保持する２つの保持部も備え、コンタクトレンズの非収容時に洗浄液ボトルの首部に掛脱輪部を嵌め込んで取り付けた状態で、コンタクトレンズケースの各収容部及び各蓋体を下向きに保持して容易に乾燥させることができるようにしている。
【先行技術文献】
【特許文献】
【０００４】
【特許文献１】特開２０１２−１６５８８６号公報
【発明の概要】
【発明が解決しようとする課題】
【０００５】
ところが、前記従来のコンタクトレンズケース保持具では、洗浄液ボトルを複数の使用者が共用している場合、他者が洗浄液ボトルを使用する都度、コンタクトレンズケース保持具を首部から取り外さなければならず、複数人で使用する際の洗浄液ボトルの使い勝手が非常に悪いものとなる。
【０００６】
しかも、コンタクトレンズケース保持具に保持されたコンタクトレンズケースや各蓋体が洗浄液ボトルの首部よりその周囲の広い領域に亘って張り出されるため、洗浄液ボトルの格納場所が制限され、洗面所の棚などに容易に格納することができない。
【０００７】
本発明は、かかる点に鑑みてなされたものであり、その目的とするところは、コンタクトレンズの非収容時にコンタクトレンズケースを洗浄液ボトルの首部へ取り付けることなく自立した状態で保持し、複数の使用者が共用する洗浄液ボトルの使い勝手性を向上させることができるとともに、格納場所が制限されずに洗浄液ボトルを洗面所の棚などに容易に格納することができるコンタクトレンズケース保持具を提供することにある。
【課題を解決するための手段】
【０００８】
前記目的を達成するため、本発明では、左右のコンタクトレンズを収容するコンタクトレンズケースに、その表面側から前記各コンタクトレンズをそれぞれ個別に収容する左右一対の有底筒状の収容部を設けるとともに、前記各収容部の開放端をそれぞれ水密状態に封止する左右一対の逆有底筒状の蓋体を封止解除時にそれぞれ個別に下向きに支持する支持部を設けている。そして、略水平な載置面に載置されて自立するスタンド本体を備え、このスタンド本体に、前記コンタクトレンズの非収容時に前記コンタクトレンズケースの表面側を下向けた状態でその左右の収容部同士の間に当該コンタクトレンズケースを差し込んで保持する差し込み部を設けることを特徴としている。
【０００９】
また、前記各支持部として、前記コンタクトレンズケースの裏面側の左右両側端に設けられ、かつ前記コンタクトレンズケースに対しそれぞれ脱着自在に構成された前記各蓋体を挟んで支持する支持片を適用し、前記各蓋体を、前記各収容部に対する封止解除時に前記各支持片に対しそれぞれ挟んで支持していてもよい。
【００１０】
これに対し、前記各支持部として、前記コンタクトレンズケースに対し前記各蓋体をそれぞれ封止位置と封止解除位置とに変換可能に支持するヒンジを適用し、前記各蓋体を、前記各収容部に対する封止解除時に前記ヒンジによってそれぞれ封止解除位置に変換して支持していてもよい。
【発明の効果】
【００１１】
以上、要するに、スタンド本体の差し込み部に、コンタクトレンズケースの表面側を下向けた状態でその左右の収容部同士の間に差し込んで保持し、この保持したコンタクトレンズケースの支持部に左右一対の蓋体を封止解除時にそれぞれ個別に下向きに支持することで、コンタクトレンズケースの各収容部及び各蓋体を容易に乾燥させることが可能となる。
【００１２】
その場合、コンタクトレンズケースの各収容部及び各蓋体を下向きに支持するスタンド本体を略水平な載置面に載置して自立しているので、洗浄液ボトルの首部に取り付けたコンタクトレンズケース保持具のように共用の洗浄液ボトルを他者が使用する都度取り外す必要がなくなって、複数人で使用する際の洗浄液ボトルの使い勝手性を向上させることができる。
しかも、コンタクトレンズケースや各蓋体が洗浄液ボトルの首部よりその周囲の広い領域に亘って張り出すことがなくなり、格納場所が制限されずに洗浄液ボトルを洗面所の棚などに容易に格納することができる。
【００１３】
また、各支持部として適用した支持片をコンタクトレンズケースの裏面側の左右両側端に設け、この各支持片に対し脱着自在な各蓋体をそれぞれ挟んで支持することで、スタンド本体の差し込み部に差し込んだコンタクトレンズケースと共にその裏面側の左右両側端の支持片に各蓋体を挟めば、スタンド本体に対しコンタクトレンズケース及び各蓋体を容易に下向きに支持することができる。
【００１４】
これに対し、各支持部として適用したヒンジによってコンタクトレンズケースに対し各蓋体をそれぞれ封止位置から封止解除位置に変換して支持することで、スタンド本体の差し込み部に差し込んだコンタクトレンズケースと共に各蓋体をそれぞれ封止解除位置に変換すれば、スタンド本体に対しコンタクトレンズケース及び各蓋体を容易に下向きに支持することができる。
【図面の簡単な説明】
【００１５】
【図１】本発明の第１の実施の形態に係るコンタクトレンズケース保持具に各蓋体で封止したコンタクトレンズケースを保持した状態での斜視図である。
【図２】図１のコンタクトレンズケース保持具の正面図である。
【図３】図２のコンタクトレンズケース保持具の背面図である。
【図４】図２のコンタクトレンズケース保持具の右側面図である。
【図５】図２のコンタクトレンズケース保持具の左側面図である。
【図６】図２のコンタクトレンズケース保持具の平面図である。
【図７】図２のコンタクトレンズケース保持具の底面図である。
【図８】図２のコンタクトレンズケース保持具の斜視図である。
【図９】図６のコンタクトレンズケース保持具のＡ−Ａ線における断面図である。
【図１０】図１のコンタクトレンズケースの正面図である。
【図１１】図１０のコンタクトレンズケースの背面図である。
【図１２】図１０のコンタクトレンズケースの右側面図である。
【図１３】図１０のコンタクトレンズケースの左側面図である。
【図１４】図１０のコンタクトレンズケースの平面図である。
【図１５】図１０のコンタクトレンズケースの底面図である。
【図１６】図１０のコンタクトレンズケースの斜視図である。
【図１７】図１４のＢ−Ｂ線における断面図である。
【図１８】図１４のＣ−Ｃ線における断面図である。
【図１９】図１４のＤ−Ｄ線における断面図である。
【図２０】図１０のコンタクトレンズケースの各蓋体による封止解除状態での正面図である。
【図２１】図２０のコンタクトレンズケースの背面図である。
【図２２】図２０のコンタクトレンズケースの右側面図である。
【図２３】図２０のコンタクトレンズケースの左側面図である。
【図２４】図２０のコンタクトレンズケースの平面図である。
【図２５】図２０のコンタクトレンズケースの斜視図である。
【図２６】本発明の第２の実施の形態に係るコンタクトレンズケース保持具に各蓋体で封止したコンタクトレンズケースを保持した状態での斜視図である。
【図２７】図２６のコンタクトレンズケースの正面図である。
【図２８】図２７のコンタクトレンズケースの背面図である。
【図２９】図２７のコンタクトレンズケースの右側面図である。
【図３０】図２７のコンタクトレンズケースの左側面図である。
【図３１】図２７のコンタクトレンズケースの平面図である。
【図３２】図２７のコンタクトレンズケースの底面図である。
【図３３】図２７のコンタクトレンズケースの斜視図である。
【図３４】図３１のＥ−Ｅ線における断面図である。
【図３５】図３１のＦ−Ｆ線における断面図である。
【図３６】図３１のＧ−Ｇ線における断面図である。
【図３７】図２６のコンタクトレンズケースの各蓋体による封止解除状態での正面図である。
【図３８】図３７のコンタクトレンズケースの背面図である。
【図３９】図３７のコンタクトレンズケースの右側面図である。
【図４０】図３７のコンタクトレンズケースの左側面図である。
【図４１】図３７のコンタクトレンズケースの平面図である。
【図４２】図３７のコンタクトレンズケースの底面図である。
【図４３】図３７のコンタクトレンズケースの斜視図である。
【図４４】図４１のＨ−Ｈ線における断面図である。
【図４５】図４１のＪ−Ｊ線における断面図である。
【図４６】図４１のＫ−Ｋ線における断面図である。
【図４７】図４１のＬ−Ｌ線における断面図である。
【発明を実施するための形態】
【００１６】
以下、本発明の実施の形態に係るコンタクトレンズケース保持具を図面に基づいて説明する。
【００１７】
図１は本発明の第１の実施の形態に係るコンタクトレンズケース保持具に各蓋体で封止したコンタクトレンズケースを保持した状態での斜視図を示している。また、図２はコンタクトレンズケース保持具の正面図、図３はコンタクトレンズケース保持具の背面図、図４はコンタクトレンズケース保持具の右側面図、図５はコンタクトレンズケース保持具の左側面図、図６はコンタクトレンズケース保持具の平面図、図７はコンタクトレンズケース保持具の底面図、図８はコンタクトレンズケース保持具の斜視図、図９は図６のコンタクトレンズケース保持具のＡ−Ａ線における断面図をそれぞれ示している。
【００１８】
図１〜図９に示すように、コンタクトレンズケース保持具１は、テーブルや棚などの略水平な載置面（図示せず）に台座１０が載置されて自立するスタンド本体１１を備えている。このスタンド本体１１は、台座１０の後側（図５では下側）の中央位置より上方へ起立する起立片１２を備えている。この起立片１２の上端部には、図示しない左右のコンタクトレンズが収容されるコンタクトレンズケース２を保持する保持部１３が設けられている。
【００１９】
図１０はコンタクトレンズケース２の正面図、図１１はコンタクトレンズケース２の背面図、図１２はコンタクトレンズケース２の右側面図、図１３はコンタクトレンズケース２の左側面図、図１４はコンタクトレンズケース２の平面図、図１５はコンタクトレンズケース２の底面図、図１６はコンタクトレンズケース２の斜視図をそれぞれ示している。
【００２０】
図１０〜図１６に示すように、コンタクトレンズケース２は、薄板状のベース板２０の左右両位置にそれぞれ表面２０１側から左右のコンタクトレンズを個別に収容する左右一対の収容部２１Ｌ，２１Ｒを備えている。各収容部２１Ｌ，２１Ｒは、ベース板２０より表面２０１側（上方）へ突出する略円筒形状の周壁２１１と、この周壁２１１のベース板２０側端（下端）より裏面２０２側（下方）へ突出する有底円筒形状の底壁２１２とを備えている。また、コンタクトレンズケース２は、各収容部２１Ｌ，２１Ｒの開放端（周壁２１１の反ベース板２０側端）をそれぞれ水密状態に封止する左右一対の逆有底円筒形状の蓋体２２，２２を封止解除時に個別に支持する左右の支持部２３，２３を備えている。一方、各蓋体２２は、略円筒形状の周壁２２１を有する有底円筒形状に形成されている。
【００２１】
更に、コンタクトレンズケース２は、各収容部２１Ｌ，２１Ｒの周方向略９０°おきの４箇所よりそれぞれ下方へ延びる脚部２４，２４，…を有し、テーブルや棚などの略水平な載置面などにベース板２０の表面２０１側を上向けた状態で略水平に載置可能となっている。この場合、コンタクトレンズケース保持具１及びコンタクトレンズケース２としては、射出成形等により成形した樹脂製のものが適用されている。
【００２２】
図１７は図１４のＢ−Ｂ線における断面図、図１８は図１４のＣ−Ｃ線における断面図、図１９は図１４のＤ−Ｄ線における断面図をそれぞれ示している。また、図２０はコンタクトレンズケース２の各蓋体２２による封止解除状態での正面図、図２１はコンタクトレンズケース２の背面図、図２２はコンタクトレンズケース２の右側面図、図２３はコンタクトレンズケース２の左側面図、図２４はコンタクトレンズケース２の平面図、図２５はコンタクトレンズケース２の斜視図をそれぞれ示している。
【００２３】
図１７〜図２５にも示すように、各収容部２１Ｌ，２１Ｒの周壁２１１の外周面には、雄ねじ部２１３が形成されている一方、各蓋体２２の周壁２２１の内周面には、各収容部２１Ｌ，２１Ｒの雄ねじ部２１３に螺着する雌ねじ部２２３が形成されている。そして、各収容部２１Ｌ，２１Ｒの雄ねじ部２１３に対し各蓋体２２の雌ねじ部２２３を螺着させることで、各収容部２１Ｌ，２１Ｒの開放端を蓋体２２によってそれぞれ水密状態に封止している。
【００２４】
コンタクトレンズケース２のベース板２０の左右方向へ延びる前後の長辺２０３，２０４は、各収容部２１Ｌ，２１Ｒの周壁２１１，２１１同士の間を直線状に連結する前側の長辺２０３と、各収容部２１Ｌ，２１Ｒの周壁２１１，２１１同士の間を当該各周壁２１１に沿って円弧状に連結する後側の長辺２０４とからなる。前側の長辺２０３の左右方向中央位置には、左右方向に微小な間隔αの凹部２０５が切り欠かれている。また、図１８に示すように、ベース板２０の裏面２０２には、凹部２０５の後方において下方へ膨出する膨出部２０６が設けられている。この膨出部２０６は、凹部２０５の後方よりなだらかに下方へ膨出する前側部分２０６ａと、その前側部分２０６ａ後端の膨出端より後方へ向かうに従い左右の両側部を残しつつ中央部のみの膨出を徐々に上方へ収束させて断面略逆凹字状に形成された後側部分２０６ｂとを備えている。
【００２５】
一方、スタンド本体１１の保持部１３は、起立片１２の上端部より前方（図４では右側）へ突出する突部１４の前端面より後方へ凹設された差し込み部１５を備え、この差し込み部１５に対しコンタクトレンズケース２をベース板２０の表面２０１が下向きとなるように差し込んで保持している。差し込み部１５は、上面及び下面が略平行で後方に向かうに従い下方に位置する傾斜面状に形成され、差し込まれたベース板２０の表面２０１が広い面積で安定して支えられるように下面の前側部分を後方に行くに従い左右方向へ幅広に形成している。このとき、差し込み部１５は、上面及び下面が略平行で後方に向かうに従い下方に位置する傾斜面状に形成されていることから、差し込まれたベース板２０には自重が作用して抜け出しを規制している。
【００２６】
また、差し込み部１５の奥側（後側）には、前側の長辺２０３の凹部２０５を下部に当接させてそれ以上奥側へのベース板２０の差し込みを規制する規制板１５１が設けられている。この規制板１５１の左右方向の幅は、ベース板２０の凹部２０５の間隔αと略一致している。更に、差し込み部１５には、上面の入口側（前側）を略円弧状に下方へ膨出させた円弧状膨出部１５２が設けられている。この円弧状膨出部１５２は、下向きに差し込まれたベース板２０の裏面２０２の膨出部２０６が乗り越えられるように設定されている。そして、円弧状膨出部１５２は、下向きに差し込んだベース板２０の裏面２０２の膨出部２０６が乗り越えたときに前側の長辺２０３の凹部２０５が規制板１５１の下部に当接し、差し込み部１５からのベース板２０の抜け出しを規制している。この場合、円弧状膨出部１５２は、膨出部２０６の後側部分２０６ｂでの左右の両側部間の間隔よりも若干狭い左右方向幅に設定され、下向きに差し込んだベース板２０の裏面２０２の膨出部２０６を乗り越えたときに後側部分２０６ｂの左右の両側部間に収容される。
【００２７】
更に、ベース板２０の各支持部２３は、そのベース板２０の左右両端の脚部２４，２４に設けられている。この左右両端の各脚部２４はそれぞれ底面視で略コ字状に形成されている。そして、各支持部２３としては、ベース板２０の左右両端の各脚部２４の互いに対向する対向片の下端の凹部２４１によって形成された４個の支持片２３１，２３１，…が適用されている。このとき、各蓋体２２は、各収容部２１Ｌ，２１Ｒに対する封止解除時に左右両側の支持片２３１，２３１同士の間に周壁２２１を挟んで下向きに支持される。
【００２８】
したがって、本実施の形態では、スタンド本体１１の差し込み部１５に、ベース板２０の表面２０１側を下向けた状態でその左右の収容部２１Ｌ，２１Ｒ同士の間を差し込んで保持し、この保持したコンタクトレンズケース２の支持部２３，２３に左右一対の蓋体２２，２２を個別に下向きに支持することで、コンタクトレンズケース２の各収容部２１Ｌ，２１Ｒ及び各蓋体２２を容易に乾燥させることが可能となる。
【００２９】
その場合、コンタクトレンズケース２の各収容部２１Ｌ，２１Ｒ及び各蓋体２２を下向きに支持するスタンド本体１１が略水平な載置面に載置されて自立しているので、洗浄液ボトルの首部に取り付けたコンタクトレンズケース保持具のように共用の洗浄液ボトルを他者が使用する都度取り外す必要がなくなって、複数人で使用する際の洗浄液ボトルの使い勝手性を向上させることができる。
しかも、コンタクトレンズケース２や各蓋体２２が洗浄液ボトルの首部よりその周囲の広い領域に亘って張り出すことがなくなり、格納場所が制限されずに洗浄液ボトルを洗面所の棚などに容易に格納することができる。
【００３０】
また、各支持部２３として適用した各支持片２３１がベース板２０の裏面２０２側の左右両側端に設けられ、この各支持片２３１に対し脱着自在な各蓋体２２がそれぞれ挟んで支持されているので、スタンド本体１１の差し込み部１５に差し込んだコンタクトレンズケース２と共にその裏面２０２側の左右両側端の各支持片２３１に各蓋体２２を挟めば、スタンド本体１１に対しコンタクトレンズケース２及び各蓋体２２を容易に下向きに支持することができる。
【００３１】
次に、本発明の第２の実施の形態を図２６〜図４１に基づいて説明する。
【００３２】
この実施の形態では、コンタクトレンズケースの構成を変更している。なお、コンタクトレンズケースを除くその他の構成は、前記第１の実施の形態の場合と同じであり、同一の部分については同じ符号を付してその詳細な説明は省略する。図２６は本発明の第２の実施の形態に係るコンタクトレンズケース保持具に各蓋体で封止したコンタクトレンズケースを保持した状態での斜視図を示している。また、図２７はコンタクトレンズケースの正面図、図２８はコンタクトレンズケースの背面図、図２９はコンタクトレンズケースの右側面図、図３０はコンタクトレンズケースの左側面図、図３１はコンタクトレンズケースの平面図、図３２はコンタクトレンズケースの底面図、図３３はコンタクトレンズケースの斜視図、図３４は図３１のＥ−Ｅ線における断面図、図３５は図３１のＦ−Ｆ線における断面図、図３６は図３１のＧ−Ｇ線における断面図をそれぞれ示している。
【００３３】
すなわち、本実施の形態では、図２６〜図３６に示すように、コンタクトレンズケース３は、薄板状のベース板３０の左右両位置にそれぞれ表面３０１側から左右のコンタクトレンズを個別に収容する左右一対の収容部３１Ｌ，３１Ｒを備えている。各収容部３１Ｌ，３１Ｒは、ベース板３０より表面３０１側（上方）へ突出する略円筒形状の周壁３１１と、この周壁３１１のベース板３０側端（下端）より裏面３０２側（下方）へ突出する有底円筒形状の底壁３１２とを備えている。また、コンタクトレンズケース３は、各収容部３１Ｌ，３１Ｒの開放端（周壁３１１の反ベース板３０側端）をそれぞれ水密状態に封止する左右一対の逆有底円筒形状の蓋体３２，３２を封止解除時にそれぞれ個別に支持する左右の支持部３３，３３を備えている。一方、各蓋体３２は、略円筒形状の周壁３２１を有する有底円筒形状に形成されている。
【００３４】
また、コンタクトレンズケース３は、各収容部３１Ｌ，３１Ｒの周方向略９０°おきの４箇所よりそれぞれ下方へ延びる脚部３４，３４，…を有し、テーブルや棚などの略水平な載置面などにベース板３０の表面３０１側を上向けた状態で略水平に載置可能となっている。この場合、コンタクトレンズケース３としては、コンタクトレンズケース２と同様に、射出成形等により成形した樹脂製のものが適用されている。
【００３５】
図３７はコンタクトレンズケース３の各蓋体３２による封止解除状態での正面図、図３８はコンタクトレンズケース３の背面図、図３９はコンタクトレンズケース３の右側面図、図４０はコンタクトレンズケース３の左側面図、図４１はコンタクトレンズケース３の平面図、図４２はコンタクトレンズケース３の底面図、図４３はコンタクトレンズケース３の斜視図、図４４は図４１のＨ−Ｈ線における断面図、図４５は図４１のＪ−Ｊ線における断面図、図４６は図４１のＫ−Ｋ線における断面図、図４７は図４１のＬ−Ｌ線における断面図をそれぞれ示している。
【００３６】
図３７〜図４７にも示すように、コンタクトレンズケース３の左右の支持部３３，３３としては、コンタクトレンズケース３に対し各蓋体３２をそれぞれ封止位置と封止解除位置とに変換可能に支持するヒンジ３３１，３３１が適用されている。そして、各蓋体３２は、各収容部３１Ｌ，３１Ｒに対する封止解除時にヒンジ３３１，３３１によってそれぞれ封止解除位置に変換して下向きに支持されている。また、各ヒンジ３３１は、ベース板３０の前側の左右方向両端に対応する各収容部３１Ｌ，３１Ｒの周壁３１１にそれぞれ設けられ、各蓋体３２をそれぞれベース板３０の斜め前側の左右方向外方の封止解除位置へ変換させるようにしている。更に、各蓋体３２の周壁３１１には、各ヒンジ３３１とは略１８０°程度周方向に位相を異ならせた位置より半径方向外方へ突出する把持部３２２が設けられ、各蓋体３２を封止解除する際に把持されて封止解除位置への変換が円滑に行えるようにしている。
【００３７】
また、各収容部３１Ｌ，３１Ｒの周壁３１１の外周面には、ヒンジ３３１から周方向に等間隔離れた２箇所より周壁３１１の外周面に沿って半径方向外方へ突出する帯状の突起３１３，３１３が設けられている。一方、各収容部３１Ｌ，３１Ｒの周壁３１１の各突起３１３にそれぞれ対応する各蓋体３２の周壁３２１の内周面には、その内周面に沿って半径方向内方へ突出する帯状のリブ３２３，３２３が設けられている。更に、各蓋体３２は、各収容部３１Ｌ，３１Ｒの各突起３１３に対し当該各突起３１３をリブ３２３が乗り越えて嵌合している。また、各蓋体３２の裏面には、周壁３２１の半径方向内方側より突設された環状の内側壁３２４が設けられている。そして、各蓋体３２は、各収容部３１Ｌ，３１Ｒに対する封止時にその周壁３１１を内側壁３２４と周壁３２１とによって内外方向から挟み込んで各収容部３１Ｌ，３１Ｒの開放端をそれぞれ封止位置で水密状態に封止している。
【００３８】
コンタクトレンズケース３のベース板３０の左右方向へ延びる前後の長辺３０３，３０４は、各収容部３１Ｌ，３１Ｒの周壁３１１，３１１同士の間を前側へ膨出する緩い円弧で連結する前側の長辺３０３と、各収容部３１Ｌ，３１Ｒの周壁３１１，３１１同士の間を当該各周壁３１１に沿って前側へ膨出する円弧で連結する後側の長辺３０４とからなる。前側の長辺３０３の左右方向中央位置には、左右方向に微小な間隔αの凹部３０５が切り欠かれている。また、図３４に示すように、ベース板３０の裏面３０２には、凹部３０５の後方において下方へ膨出する膨出部３０６が設けられている。この膨出部３０６は、凹部３０５の後方よりなだらかに下方へ膨出する前側部分３０６ａと、その前側部分３０６ａ後端の膨出端より後方へ向かうに従い左右の両側部を残しつつ中央部のみの膨出を徐々に上方へ収束させて断面略逆凹字状に形成された後側部分３０６ｂとを備えている。
【００３９】
そして、コンタクトレンズケース３は、スタンド本体１１の起立片１２の差し込み部１５に対しベース板３０の表面３０１が下向きとなるように差し込んで保持されている。このとき、ベース板３０の前側の長辺３０３の凹部３０５は、差し込み部１５の規制板１５１に当接してそれ以上奥側へのベース板３０の差し込みを規制している。また、下向きに差し込んだベース板３０の裏面３０２の膨出部３０６は、円弧状膨出部１５２を乗り越えたときに前側の長辺３０３の凹部３０５が規制板１５１の下部に当接すると、差し込み部１５からのベース板３０の抜け出しを規制している。この場合、円弧状膨出部１５２は、下向きに差し込んだベース板３０の裏面３０２の膨出部３０６が乗り越えたときに後側部分３０６ｂの左右の両側部間に収容される。
【００４０】
したがって、本実施の形態においても、コンタクトレンズケース３の各収容部３１Ｌ，３１Ｒ及び各蓋体３２を下向きに支持するスタンド本体１１が略水平な載置面に載置されて自立しているので、洗浄液ボトルの首部に取り付けたコンタクトレンズケース保持具のように共用の洗浄液ボトルを他者が使用する都度取り外す必要がなくなって、複数人で使用する際の洗浄液ボトルの使い勝手性を向上させることができる。
しかも、コンタクトレンズケース３や各蓋体３２が洗浄液ボトルの首部よりその周囲の広い領域に亘って張り出すことがなくなり、格納場所が制限されずに洗浄液ボトルを洗面所の棚などに容易に格納することができる。
【００４１】
また、各支持部３３として適用したヒンジ３３１によってコンタクトレンズケース３に対し各蓋体３２がそれぞれ封止位置から封止解除位置に変換して支持されているので、スタンド本体１１の差し込み部１５に差し込んだコンタクトレンズケース３と共に各蓋体３２をそれぞれ封止解除位置に変換すれば、スタンド本体１１に対しコンタクトレンズケース３及び各蓋体３２を容易に下向きに支持することができる。
【００４２】
なお、本発明は、前記実施の形態に限定されるものではなく、その他種々の変形例を包含している。例えば、前記各実施の形態では、スタンド本体１１の保持部１３の差し込み部１５を、起立片１２の上端部より前方へ突出する突部１４に設けたが、差し込み部はこれに限らず、起立片の上端部より後方又は左右側方へ突出する突部に設けられていてもよい。
【符号の説明】
【００４３】
１          コンタクトレンズケース保持具
１１        スタンド本体
１５        差し込み部
２          コンタクトレンズケース
２０１      表面
２０２      裏面
２１Ｌ      左側の収容部
２１Ｒ      右側の収容部
２２        蓋体
２３        支持部
２３１      支持片
３          コンタクトレンズケース
３０１      表面
３０２      裏面
３１Ｌ      左側の収容部
３１Ｒ      右側の収容部
３２        蓋体
３３        支持部
３３１      ヒンジ
【図１】
2017086522.tif 000003
【図２】
2017086522.tif 000004
【図３】
2017086522.tif 000005
【図４】
2017086522.tif 000006
【図５】
2017086522.tif 000007
【図６】
2017086522.tif 000008
【図７】
2017086522.tif 000009
【図８】
2017086522.tif 000010
【図９】
2017086522.tif 000011
【図１０】
2017086522.tif 000012
【図１１】
2017086522.tif 000013
【図１２】
2017086522.tif 000014
【図１３】
2017086522.tif 000015
【図１４】
2017086522.tif 000016
【図１５】
2017086522.tif 000017
【図１６】
2017086522.tif 000018
【図１７】
2017086522.tif 000019
【図１８】
2017086522.tif 000020
【図１９】
2017086522.tif 000021
【図２０】
2017086522.tif 000022
【図２１】
2017086522.tif 000023
【図２２】
2017086522.tif 000024
【図２３】
2017086522.tif 000025
【図２４】
2017086522.tif 000026
【図２５】
2017086522.tif 000027
【図２６】
2017086522.tif 000028
【図２７】
2017086522.tif 000029
【図２８】
2017086522.tif 000030
【図２９】
2017086522.tif 000031
【図３０】
2017086522.tif 000032
【図３１】
2017086522.tif 000033
【図３２】
2017086522.tif 000034
【図３３】
2017086522.tif 000035
【図３４】
2017086522.tif 000036
【図３５】
2017086522.tif 000037
【図３６】
2017086522.tif 000038
【図３７】
2017086522.tif 000039
【図３８】
2017086522.tif 000040
【図３９】
2017086522.tif 000041
【図４０】
2017086522.tif 000042
【図４１】
2017086522.tif 000043
【図４２】
2017086522.tif 000044
【図４３】
2017086522.tif 000045
【図４４】
2017086522.tif 000046
【図４５】
2017086522.tif 000047
【図４６】
2017086522.tif 000048
【図４７】
2017086522.tif 000049